(57)【要約】【課題】映像信号を伝送する通信回線の違いによるフレームの不一致を防止することができるフレーム同期装置及びフレーム同期方法を提供することである。【解決手段】実施形態のフレーム同期装置は、第１のメモリ、第２のメモリ、第１の書込制御部、第２の書込制御部、読出制御部、読出位置変更部を持つ。第１／第２のメモリは、第１／第２の通信回線を経由して伝送された第１／第２の映像信号を格納する。第１／第２の書込制御部は、前記第１／第２の映像信号から第１／第２の同期信号を分離し、第１／第２の書込制御信号を発生させる。読出制御部は、基準信号に同期して読出制御信号を発生させる。読出位置変更部は、前記メモリにおける書き込み位置と読み出し位置との間の相対的位置関係の逆転の発生を予測し、前記メモリの何れかにおいて前記相対的位置関係の逆転が予測される場合、前記メモリの読み出し位置をフレーム単位で変更する。【選択図】図１
2016111507.tif 000002
【特許請求の範囲】
【請求項１】
発信源から第１の通信回線を経由して伝送された第１の映像信号を格納する第１のメモリと、
前記発信源から第２の通信回線を経由して伝送された第２の映像信号を格納する第２のメモリと、
前記第１の映像信号から第１の同期信号を分離し、前記第１の同期信号に同期して、前記第１の映像信号を前記第１のメモリに書き込むための第１の書込制御信号を発生させる第１の書込制御部と、
前記第２の映像信号から第２の同期信号を分離し、前記第２の同期信号に同期して、前記第２の映像信号を前記第２のメモリに書き込むための第２の書込制御信号を発生させる第２の書込制御部と、
所定の基準信号に同期して、前記第１のメモリおよび前記第２のメモリから映像信号を読み出すための読出制御信号を発生させる読出制御部と、
前記第１の書込制御信号と前記第２の書込制御信号と前記読出制御信号とから、前記第１のメモリおよび前記第２のメモリのそれぞれにおける書き込み位置と読み出し位置との間の相対的位置関係の逆転の発生を予測し、前記第１のメモリおよび前記第２のメモリの何れかにおいて前記相対的位置関係の逆転の発生が予測される場合、前記読出制御信号によって示される前記第１のメモリおよび前記第２のメモリのそれぞれの読み出し位置をフレーム単位で変更する読出位置変更部と、
を備えたフレーム同期装置。
【請求項２】
前記読出位置変更部は、
前記読出制御信号によって指定される読み出し位置が、垂直ブランキング期間内の所定の位置を示し、且つ、前記第１の書込制御部および前記第２の書込制御部の何れかが発生させる書込制御信号によって指定される書き込み位置が、前記所定の位置を基準とした所定の領域内の位置を示す場合、前記相対的位置関係の逆転が発生する旨の予測を行う、請求項１に記載のフレーム同期装置。
【請求項３】
前記読出位置変更部は、
前記書き込み位置が、前記所定の位置を基準として走査の順方向に位置する場合、前記読み出し位置が前記書き込み位置を追い越すことにより前記相対的位置関係が逆転する旨の予測を行い、前記第１のメモリから読み出されるフレームと前記第２のメモリから読み出されるフレームとの両方をリピートさせるように前記読み出し位置を変更し、
前記書き込み位置が、前記所定の位置を基準として走査の逆方向に位置する場合、前記書き込み位置が前記読み出し位置を追い越すことにより前記相対的位置関係が逆転する旨の予測を行い、前記第１のメモリから読み出されるフレームと前記第２のメモリから読み出されるフレームとの両方をスキップさせるように前記読み出し位置を変更する、請求項２に記載のフレーム同期装置。
【請求項４】
前記第１のメモリおよび前記第２のメモリのそれぞれは、
前記第１の通信回線を経由して伝送された第１の映像信号と前記第２の通信回線を経由して伝送された第２の映像信号との間の位相差を吸収するために必要とされる数のフレームを形成する映像信号を記憶するための第１記憶領域と、
前記第１記憶領域に記憶された映像信号によって形成されるフレームの直前のフレームを形成する映像信号を記憶するための第２記憶領域と、
前記第１記憶領域に記憶された映像信号によって形成されるフレームの直後のフレームを形成する映像信号を記憶するための第３記憶領域と、
を備えた請求項３に記載のフレーム同期装置。
【請求項５】
発信源から第１の通信回線を経由して伝送された第１の映像信号を第１のメモリに格納する第１段階と、
前記発信源から第２の通信回線を経由して伝送された第２の映像信号を第２のメモリに格納する第２段階と、
前記第１の映像信号から第１の同期信号を分離し、前記第１の同期信号に同期して、前記第１の映像信号を前記第１のメモリに書き込むための第１の書込制御信号を発生させる第３段階と、
前記第２の映像信号から第２の同期信号を分離し、前記第２の同期信号に同期して、前記第２の映像信号を前記第２のメモリに書き込むための第２の書込制御信号を発生させる第４段階と、
所定の基準信号に同期して、前記第１のメモリおよび前記第２のメモリから映像信号を読み出すための読出制御信号を発生させる第５段階と、
前記第１の書込制御信号と前記第２の書込制御信号と前記読出制御信号とから、前記第１のメモリおよび前記第２のメモリのそれぞれにおける書き込み位置と読み出し位置との間の相対的位置関係の逆転の発生を予測し、前記第１のメモリおよび前記第２のメモリの何れかにおいて前記相対的位置関係の逆転の発生が予測される場合、前記読出制御信号によって示される前記第１のメモリおよび前記第２のメモリのそれぞれの読み出し位置をフレーム単位で変更する第６段階と、
を含むフレーム同期方法。
【請求項６】
前記第６段階では、
前記読出制御信号によって指定される読み出し位置が、垂直ブランキング期間内の所定の位置を示し、且つ、前記第３段階および第４段階の何れかが発生させる書込制御信号によって指定される書き込み位置が、前記所定の位置を基準とした所定の領域内の位置を示す場合、前記相対的位置関係の逆転が発生する旨の予測を行う、請求項５に記載のフレーム同期方法。
【請求項７】
前記第６段階では、
前記書き込み位置が、前記所定の位置を基準として走査の順方向に位置する場合、前記読み出し位置が前記書き込み位置を追い越すことにより前記相対的位置関係が逆転する旨の予測を行い、前記第１のメモリから読み出されるフレームと前記第２のメモリから読み出されるフレームとの両方をリピートさせるように前記読み出し位置を変更し、
前記書き込み位置が、前記所定の位置を基準として走査の逆方向に位置する場合、前記書き込み位置が前記読み出し位置を追い越すことにより前記相対的位置関係が逆転する旨の予測を行い、前記第１のメモリから読み出されるフレームと前記第２のメモリから読み出されるフレームとの両方をスキップさせるように前記読み出し位置を変更する、請求項６に記載のフレーム同期方法。
【請求項８】
前記第１のメモリおよび前記第２のメモリのそれぞれは、
前記第１の通信回線を経由して伝送された第１の映像信号と前記第２の通信回線を経由して伝送された第２の映像信号との間の位相差を吸収するために必要とされる数のフレームを形成する映像信号を記憶するための第１記憶領域と、
前記第１記憶領域に記憶された映像信号によって形成されるフレームの直前のフレームを形成する映像信号を記憶するための第２記憶領域と、
前記第１記憶領域に記憶された映像信号によって形成されるフレームの直後のフレームを形成する映像信号を記憶するための第３記憶領域と、
を備えた請求項７に記載のフレーム同期方法。
【発明の詳細な説明】
【技術分野】
【０００１】
本発明の実施形態は、フレーム同期装置及びフレーム同期方法に関する。
【背景技術】
【０００２】
従来、例えば中継地等の発信源から映像信号を放送局に伝送する場合、冗長化された２以上の異なる通信回線を経由して映像信号が送られている。何れかの通信回線に何らかの障害が発生したとしても、正常な通信回線を経由して発信源の映像信号を放送局に伝送することができ、放送を継続することができる。
【０００３】
一般に、発信源には、映像信号の基準信号を発生させるための基準信号発生器が備えられ、放送局にも同様の基準信号発生器が備えられている。発信源の基準信号の周波数は、放送局の基準信号と同じ周波数に設定されている。発信源の基準信号と放送局の基準信号との間に周波数差が存在すると、映像信号が放送局の基準信号に同期しなくなる。そこで、放送局には、発信源からの映像信号を放送局の基準信号とフレーム単位で同期させるためのフレーム同期装置が備えられている。
【０００４】
しかしながら、発信源から映像信号を放送局に伝送する過程で、通信回線の伝送特性（例えば、遅延量）の違いにより、各通信回線を経由して伝送された映像信号間に位相差が生じる。このため、通信回線を経由して伝送された映像信号をフレーム同期装置により同期化して得られる映像信号のフレームが通信回線間で一致しなくなる場合が起こり得た。
【先行技術文献】
【特許文献】
【０００５】
【特許文献１】特開２００７−２７４１２８号公報
【特許文献２】特開２００８−２８３４７６号公報
【発明の概要】
【発明が解決しようとする課題】
【０００６】
本発明が解決しようとする課題は、映像信号を伝送する通信回線の違いによるフレームの不一致を防止することができるフレーム同期装置及びフレーム同期方法を提供することである。
【課題を解決するための手段】
【０００７】
実施形態のフレーム同期装置は、第１のメモリ、第２のメモリ、第１の書込制御部、第２の書込制御部、読出制御部、読出位置変更部を持つ。第１のメモリは、発信源から第１の通信回線を経由して伝送された第１の映像信号を格納する。第２のメモリは、前記発信源から第２の通信回線を経由して伝送された第２の映像信号を格納する。第１の書込制御部は、前記第１の映像信号から第１の同期信号を分離し、前記第１の同期信号に同期して、前記第１の映像信号を前記第１のメモリに書き込むための第１の書込制御信号を発生させる。第２の書込制御部は、前記第２の映像信号から第２の同期信号を分離し、前記第２の同期信号に同期して、前記第２の映像信号を前記第２のメモリに書き込むための第２の書込制御信号を発生させる。読出制御部は、所定の基準信号に同期して、前記第１のメモリおよび前記第２のメモリから映像信号を読み出すための読出制御信号を発生させる。読出位置変更部は、前記第１の書込制御信号と前記第２の書込制御信号と前記読出制御信号とから、前記第１のメモリおよび前記第２のメモリのそれぞれにおける書き込み位置と読み出し位置との間の相対的位置関係の逆転の発生を予測し、前記第１のメモリおよび前記第２のメモリの何れかにおいて前記相対的位置関係の逆転の発生が予測される場合、前記読出制御信号によって示される前記第１のメモリおよび前記第２のメモリのそれぞれの読み出し位置をフレーム単位で変更する。
【図面の簡単な説明】
【０００８】
【図１】実施形態のフレーム同期装置の構成例および適用例を示すブロック図。
【図２】実施形態のフレーム同期装置の動作の流れの一例を示すフロー図。
【図３】実施形態のフレーム同期装置の動作（書き込み位置と読み出し位置との間の相対的位置関係の逆転の発生の予測に関する動作）を説明するための図。
【図４】実施形態のフレーム同期装置の動作（書き込みが読み出しを追い越すことが予測される場合の動作）を説明するための図。
【図５】実施形態のフレーム同期装置の動作（読み出しが書き込みを追い越すことが予測される場合の動作）を説明するための図。
【発明を実施するための形態】
【０００９】
以下、図面を参照して、実施形態のフレーム同期装置を説明する。
（構成の説明）
図１は、実施形態のフレーム同期装置１００の構成例および適用例を示す図である。
フレーム同期装置１００は、放送局ＢＳに設置され、冗長化された２系統の通信回線３０１，３０２を通じて発信源２００と接続されている。実施形態では、通信回線３０１は、例えば、通常時に用いられる現用系通信回線であり、通信回線３０２は、例えば、通信回線３０１に故障が発生した場合に用いられる予備系の通信回線である。
【００１０】
発信源２００は、放送局ＢＳの外部の信号源であり、例えば、放送の中継車に搭載された送信用機材であってもよく、他局の送信装置であってもよい。発信源２００は、２系統の通信回線３０１，３０２に対応した２つの送信部２０１，２０２を備えている。送信部２０１，２０２の各入力部には、映像信号ＰＳが共通に入力される。映像信号ＰＳは、例えば放送番組のベースバンド信号（非圧縮信号）であり、発信源２００に備えられた基準信号発生器（図示なし）により発生された所定の基準同期信号に同期して生成された信号である。このため、映像信号ＰＳには、例えば、上記基準同期信号の信号成分がサンプルデータ（画素データ）の配列周期として含まれている。
【００１１】
送信部２０１の出力部には、通信回線３０１の入力端３０１Ａが接続され、送信部２０２の出力部には、通信回線３０２の入力端３０２Ａが接続されている。発信源２００の映像信号ＰＳは、送信部２０１，２０２から通信回線３０１，３０２を経由して放送局ＢＳに伝送される。通信回線３０１，３０２のそれぞれにより伝送された映像信号ＰＳは、通信回線３０１の出力端３０１Ｂから映像信号ＰＳ１として出力されると共に、通信回線３０２の出力端３０２Ｂから映像信号ＰＳ２として出力される。
なお、本実施形態では、２系統の通信回線３０１，３０２を用いる場合を想定するが、通信回線の数は任意に設定し得る。
【００１２】
放送局ＢＳに設置されたフレーム同期装置１００は、２系統の通信回線３０１，３０２に対応したフレームメモリ１１１（第１のメモリ）およびフレームメモリ１１２（第２のメモリ）と、書込制御部１２１（第１の書込制御部）および書込制御部１２２（第２の書込制御部）とを備えると共に、読出制御部１３０と読出位置変更部１４０とを備えている。フレームメモリ１１１，１１２は、発信源２００から、通信回線３０１，３０２を経由して伝送された映像信号ＰＳ１，ＰＳ２をそれぞれ格納するための要素である。フレームメモリ１１１，１１２のそれぞれは、例えばデュアルポートメモリである。ただし、書き込みと読み出しが可能であることを限度に、フレームメモリ１１１，１１２として任意のメモリを用いることができる。また、フレームメモリの個数は、２個に限定されず、通信回線の系統数に応じて任意に設定し得る。
【００１３】
後述する図４または図５に例示するように、フレームメモリ１１１は、３つの記憶領域１１１１，１１１２，１１１３を有している。同様に、フレームメモリ１１２は、３つの記憶領域１１２１，１１２２，１１２３を有している。各記憶領域は、１フレーム分の映像信号のデータ量に相当する記憶容量を有している。従って、フレームメモリ１１１，１１２のそれぞれは、少なくとも、３フレーム分の記憶容量を有している。
【００１４】
説明を図１に戻す。書込制御部１２１，１２２は、それぞれ、通信回線３０１，３０２を経由して伝送された映像信号ＰＳ１，ＰＳ２から、発信源２００の上記基準同期信号に同期した同期信号を分離し、この同期信号に同期して映像信号ＰＳ１，ＰＳ２をフレームメモリ１１１，１１２に書き込むための要素である。なお、書込制御部の個数は、２個に限定されず、フレームメモリの個数に応じて任意に設定し得る。
【００１５】
書込制御部１２１は、映像信号ＰＳ１に含まれるサンプルデータ（画素データ）の周期から同期信号を分離する。そして、書込制御部１２１は、映像信号ＰＳ１から分離した上記同期信号に同期したタイミングで、フレームメモリ１１１に映像信号ＰＳ１を書き込むための書き込み位置ＷＰ１を指定する書込制御信号ＷＲ１を発生させてフレームメモリ１１１に供給する。同様に、書込制御部１２２は、映像信号ＰＳ２に含まれるサンプルデータの周期から同期信号を分離する。そして、書込制御部１２２は、映像信号ＰＳ２から分離した上記同期信号に同期したタイミングで、フレームメモリ１１２に映像信号ＰＳ２を書き込むための書き込み位置ＷＰ２を指定する書込制御信号ＷＲ２を発生させてフレームメモリ１１２に供給する。
【００１６】
読出制御部１３０は、放送局ＢＳに備えられた基準信号発生器（図示なし）から供給される所定の基準同期信号ＲＳに同期したタイミングで、フレームメモリ１１１，１１２から映像信号ＰＳ１１１，ＰＳ１１２を読み出すための読み出し位置ＲＰを指定する読出制御信号ＲＤを発生させてフレームメモリ１１１，１１２に共通に供給するための要素である。基本的には、基準同期信号ＲＳの周波数は、発信源２００の基準同期信号と同じ周波数に設定されている。ただし、放送局ＢＳの基準信号発生器と発信源２００の基準信号発生器との間の固体差等により、これらの基準同期信号間には僅かながら周波数差が存在し得る。
【００１７】
読出位置変更部１４０は、フレームメモリ１１１，１１２のそれぞれにおいて書き込み位置と読み出し位置との間の相対的位置関係の逆転（追い越し）の発生が予測される場合、フレームメモリ１１１，１１２の読み出し位置ＲＰを一括して変更するための要素である。即ち、読出位置変更部１４０は、書込制御信号ＷＲ１と読出制御信号ＲＤとから、フレームメモリ１１１における書き込み位置と読み出し位置との間の相対的位置関係の逆転の発生を予測し、書込制御信号ＷＲ２と読出制御信号ＲＤとから、フレームメモリ１１２における書き込み位置と読み出し位置との間の相対的位置関係の逆転の発生を予測する。そして、読出位置変更部１４０は、フレームメモリ１１１，１１２のうちの何れかのフレームメモリにおいて上記相対的位置関係の逆転の発生が予測される場合、読出制御信号ＲＤによって示されるフレームメモリ１１１，１１２のそれぞれの読み出し位置ＲＰをフレーム単位で一括して変更する。その詳細については後述する。
【００１８】
なお、読出制御信号ＲＤに基づいてフレームメモリ１１１，１１２からそれぞれ読み出された映像信号ＰＳ１１１，ＰＳ１１２は、放送局ＢＳに備えられた例えばスイッチャ（図示なし）により選択される。具体的には、通信回線３０１，３０２の何れにも故障が発生していない状況では、フレームメモリ１１１から読み出された現用系の映像信号ＰＳ１１１がスイッチャにより選択される。また、通信回線３０１に故障が発生した場合、フレームメモリ１１２からそれぞれ読み出された予備系の映像信号ＰＳ１１２がスイッチャにより選択される。スイッチャにより選択された映像信号ＰＳ１１１または映像信号ＰＳ１１２は、放送局ＢＳのマスタールーム（図示なし）の調整設備等に供給される。
【００１９】
（動作の説明）
次に、図２を参照して、実施形態のフレーム同期装置１００の動作を説明する。
図２は、実施形態のフレーム同期装置１００の動作（処理）の流れの一例を示すフロー図である。
【００２０】
フレーム同期装置１００の動作の前提として、発信源２００において映像信号ＰＳが生成され、この映像信号ＰＳが２系統の通信回線３０１，３０２を経由して放送局ＢＳに伝送される。通信回線３０１，３０２の何れにも故障が無ければ、同一の映像信号ＰＳが通信回線３０１および通信回線３０２のそれぞれを経由し、映像信号ＰＳ１，ＰＳ２として放送局ＢＳに伝送される。
【００２１】
発信源２００から通信回線３０１を経由して放送局ＢＳに伝送された映像信号ＰＳ１は、フレームメモリ１１１および書込制御部１２１に入力される。書込制御部１２１は、発信源２００の基準同期信号に同期した同期信号を映像信号ＰＳ１から分離する。そして、書込制御部１２１は、映像信号ＰＳ１から分離した同期信号に同期したタイミングで、フレームメモリ１１１に書込制御信号ＷＲ１を出力する。具体的には、書込制御部１２１は、映像信号ＰＳ１から分離した同期信号に同期したタイミングで、映像信号ＰＳ１に含まれる各サンプルデータを格納すべきフレームメモリ１１１の書き込み位置ＷＰ１を指定する書込制御信号ＷＲ１を順次発生させてフレームメモリ１１１に出力する。
【００２２】
この場合、書込制御部１２１は、後述の図４に例示する記憶領域１１１１，１１１２，１１１３からなる記憶領域全体の先頭位置から最終位置までの全区間にわたって書き込み位置が巡回するように書込制御信号ＷＲ１を発生させる。フレームメモリ１１１は、映像信号ＰＳ１に含まれる各サンプルデータを、書込制御信号ＷＲ１によって指定される書き込み位置ＷＰ１に順次記憶する。これにより、フレームメモリ１１１には、発信源２００の基準同期信号に基づくタイミングで映像信号ＰＳ１の書き込みが行われ、直近の３フレーム分の映像信号ＰＳ１がフレームメモリ１１１に保持される。
【００２３】
同様に、発信源２００から通信回線３０２を経由して放送局ＢＳに伝送された映像信号ＰＳ２は、フレームメモリ１１２と書込制御部１２２に入力される。書込制御部１２２は、発信源２００の基準同期信号に同期した同期信号を映像信号ＰＳ２から分離する。そして、書込制御部１２２は、映像信号ＰＳ２から分離した同期信号に同期したタイミングで、フレームメモリ１１２に書込制御信号ＷＲ２を出力する。具体的には、書込制御部１２２は、映像信号ＰＳ２から分離した同期信号に同期したタイミングで、映像信号ＰＳ２に含まれる各サンプルデータを格納すべきフレームメモリ１１２の書き込み位置ＷＰ２を指定する書込制御信号ＷＲ２を順次発生させてフレームメモリ１１２に出力する。
【００２４】
この場合、書込制御部１２２は、後述の図４に例示する記憶領域１１２１，１１２２，１１２３からなる記憶領域全体の先頭位置から最終位置までの全区間にわたって書き込み位置が巡回するように書込制御信号ＷＲ２を発生させる。フレームメモリ１１２は、映像信号ＰＳ２に含まれる各サンプルデータを、書込制御信号ＷＲ２によって指定される書き込み位置ＷＰ２に順次記憶する。これにより、フレームメモリ１１２には、発信源２００の基準同期信号に基づくタイミングで映像信号ＰＳ２の書き込みが行われ、直近の３フレーム分の映像信号ＰＳ２がフレームメモリ１１２に保持される。
【００２５】
上述の映像信号ＰＳ１，ＰＳ２の書き込みとは独立して、読出制御部１３０は、放送局ＢＳの基準信号発生器（図示なし）により発生された基準同期信号ＲＳに基づくタイミングで、フレームメモリ１１１，１１２に読出制御信号ＲＤを共通に出力する。具体的には、読出制御部１３０は、放送局ＢＳの基準同期信号ＲＳに同期したタイミングで、フレームメモリ１１１，１１２から読み出されるべきサンプルデータが格納された読み出し位置ＲＰを指定する読出制御信号ＲＤをフレームメモリ１１１およびフレームメモリ１１２に出力する。
【００２６】
フレームメモリ１１１は、読出制御信号ＲＤによって指定される読み出し位置ＲＰに格納されたサンプルデータを映像信号ＰＳ１１１（映像信号ＰＳ１に対応する信号）として順次出力する。同様に、フレームメモリ１１２は、同じ読出制御信号ＲＤによって指定される読み出し位置ＲＰに格納されたサンプルデータを映像信号ＰＳ１１２（映像信号ＰＳ２に対応する信号）として順次出力する。このように、フレームメモリ１１１，１１２には、同一の読み出し位置ＲＰを指定する読出制御信号ＲＤが供給される。これにより、上述の映像信号ＰＳ１，ＰＳ２の書き込みとは独立に、放送局ＢＳの基準同期信号ＲＳに基づくタイミングで、読出制御信号ＲＤによって指定されるフレームメモリ１１１，１１２の各読み出し位置ＲＰにそれぞれ格納された映像信号ＰＳ１１１，ＰＳ１１２が順次読み出される。
【００２７】
ここで、書き込みのタイミングを与える発信源２００側の基準同期信号と読み出しのタイミングを与える放送局ＢＳ側の基準同期信号との間に周波数差があると、フレームメモ路１１１，１１２のぞれぞれにおいて、書き込み位置と読み出し位置との間の相対的位置関係の逆転（追い越し）が発生する場合がある。ここで、例えば、読み出しが書き込みを追い越した場合、フレームメモリから読み出される映像信号は、フレームメモリの記憶内容が更新される前の映像信号となり、フレームの途中で前のフレームの映像信号が読み出される。逆に、書き込みが読み出しを追い越した場合、フレームの途中で次のフレームの映像信号が読み出される。従って、何れの場合においても、１フレーム内に異なる時刻の映像が部分的に混在することになる。
【００２８】
そこで、読出位置変更部１４０は、書き込み位置と読み出し位置との間の相対的位置関係の逆転を防止するため、フレームメモリ１１１，１１２のそれぞれの書き込み位置ＷＰ１，ＷＰ２と、共通の読み出し位置ＲＰとを一元管理する。即ち、読出位置変更部１４０は、書き込み位置ＷＰ１，ＷＰ２および読み出し位置ＲＰから、フレームメモリ１１１，１１２のそれぞれについて、垂直ブランキング期間において書き込み位置と読み出し位置との間の相対的位置関係の逆転の発生を予測し、何れかのフレームメモリにおいて上記垂直ブランキング期間の後のフレームで上記相対的位置関係の逆転が予測される場合、フレームメモリ１１１，１１２の各読み出し位置ＲＰをフレーム単位で変更することにより、フレームメモリ１１１，１１２からそれぞれ読み出される映像信号ＰＳ１１１，ＰＳ１１２の各フレームをフレーム単位でスキップまたはリピートさせる。
【００２９】
これにより、読出位置変更部１４０は、上記基準同期信号の周波数差を吸収し、発信源２００から伝送された映像信号ＰＳ１，ＰＳ２を放送局ＢＳの基準同期信号ＲＳに同期化させる。しかも、読出位置変更部１４０は、上記相対的位置関係の逆転が予測される場合、フレームメモリ１１１，１１２の両方の読み出し位置ＲＰを一括してフレーム単位で変更することにより、映像信号ＰＳ１１１，ＰＳ１１２の両方のフレームを同時にスキップまたはリピートさせる。これにより、フレームメモリ１１１，１１２からそれぞれ読み出される映像信号ＰＳ１１１と映像信号ＰＳ１１２との間のフレームの不一致を防止する。その詳細を次に説明する。
【００３０】
図３を参照して、読出位置変更部１４０による上記相対的位置関係の逆転の予測に関する読出位置変更部１４０の動作（処理）を説明する。
図３は、実施形態のフレーム同期装置１００の動作を説明するための図であり、書き込み位置と読み出し位置との間の相対的位置関係の逆転の発生の予測に関する動作を説明するための図である。
【００３１】
図３に示す例では、１９２０ピクセル×１０８０ピクセルのフレーム画像に対し、水平ブランキング期間ＨＢと垂直ブランキング期間ＶＢが設定されている。ここで、水平ブランキング期間ＨＢは、水平走査線の帰線期間に対応した期間であり、垂直ブランキング期間ＶＢは、垂直走査線の帰線期間に対応した期間である。これら水平ブランキング期間ＨＢおよび垂直ブランキング期間ＶＢにおいて仮想的なラインを走査することにり、水平走査線および垂直走査線の各帰線期間を実現している。
【００３２】
実施形態では、図３に示す垂直ブランキング期間ＶＢの内部に所定の位置ＸＰが設定されている。また、所定の位置ＸＰを基準として、走査の順方向（図３の例では右方向）に所定の領域ＹＡが設定され、所定の位置ＸＰを基準として走査の逆方向（図３の例では左方向）に所定の領域ＹＢが設定されている。ここで、所定の位置ＸＰは、垂直ブランキング期間ＶＢにおける仮想的な特定の画素の位置であり、フレームメモリ１１１，１１２における読み出し位置と書き込み位置との間の相対的位置関係の逆転の発生を予測するタイミングを与える位置である。また、所定の領域ＹＡは、所定の位置ＸＰを基準とした走査の順方向における所定数の仮想的な画素が配列された領域である。また、所定の領域ＹＢは、所定の位置ＸＰを基準とした走査の逆方向における所定数の仮想的な画素が配列された領域である。領域ＹＡ，ＹＢのそれぞれは、例えば２００サンプル分の複数の画素が配列された領域に相当する。
【００３３】
所定の領域ＹＡは、垂直ブランキング期間ＶＢに続くフレーム画像の映像信号をフレームメモリ１１１，１１２から読み出す過程で読み出しが書き込みを追い越すことが予測される程度に読み出し位置ＲＰと書き込み位置ＷＰ１，ＷＰ２との間が接近したことを読出位置変更部１４０が判定するために設定された領域である。読み出し位置ＲＰが所定の位置ＸＰにあるときに書き込み位置ＷＰ１が所定の領域ＹＡの内部に存在することは、フレームメモリ１１１において読み出しが書き込みを追い越すことが予測される程度に読み出し位置ＲＰが書き込み位置ＷＰ１に接近した状態にあることを意味する。同様に、読み出し位置ＲＰが所定の位置ＸＰにあるときに書き込み位置ＷＰ２が所定の領域ＹＡの内部に存在することは、フレームメモリ１１２においてみ読み出しが書き込みを追い越すことが予測される程度に読み出し位置ＲＰが書き込み位置ＷＰ２に接近した状態にあることを意味する。このような状況は、放送局ＢＳの基準同期信号ＲＳの周波数が発信源２００の基準同期信号の周波数よりも相対的に高く、フレームメモリ１１１，１１２において読み出し速度が書き込み速度よりも相対的に速い場合に起こり得る。
【００３４】
逆に、所定の領域ＹＢは、垂直ブランキング期間ＶＢに続くフレーム画像の映像信号をフレームメモリ１１１，１１２から読み出す過程で書き込みが読み出しを追い越すことが予測される程度に読み出し位置ＲＰと書き込み位置ＷＰ１，ＷＰ２との間が接近したことを読出位置変更部１４０が判定するために設定された領域である。読み出し位置ＲＰが所定の位置ＸＰにあるときに書き込み位置ＷＰ１が所定の領域ＹＢの内部に存在することは、フレームメモリ１１１において書き込みが読み出しを追い越すことが発生し得る程度に書き込み位置ＷＰ１が読み出し位置ＲＰに接近している状態にあることを意味する。同様に、読み出し位置ＲＰが所定の位置ＸＰにあるときに書き込み位置ＷＰ２が所定の領域ＹＢの内部に存在することは、フレームメモリ１１２においてみ書き込みが読み出しを追い越すことが発生し得る程度に書き込み位置ＷＰ２が読み出し位置ＲＰに接近している状態にあることを意味する。このような状況は、発信源２００の基準同期信号の周波数が放送局ＢＳの基準同期信号ＲＳの周波数よりも相対的に高く、フレームメモリ１１１，１１２において書き込み速度が読み出し速度よりも相対的に速い場合に起こり得る。
【００３５】
上述の所定の位置ＸＰおよび所定の領域ＹＡ，ＹＢは、図４または図５に例示するフレームメモリ１１１の記憶領域１１１２とフレームメモリ１１２の記憶領域１１２２に対応するフレームＦｎの各垂直ブランキング期間ＶＢに設定されている。
なお、図４または図５に示す例に限定されず、フレームメモリ１１１，１１２のそれぞれにおける読み出し位置と書き込み位置との間の相対的位置関係の逆転の発生を予測することができることを限度として、所定の位置ＸＰおよび所定の領域ＹＡ，ＹＢを垂直ブランキング期間ＶＢの内部に任意に設定することができる。
【００３６】
ちなみに、所定の位置ＸＰおよび所定の領域ＹＡ，ＹＢを垂直ブランキング期間ＶＢの外部に設定した場合、後述するフレームのスキップまたはリピートを実施すると、１フレーム内に異なるフレームの画像が部分的に混在する状況が起こり得る。このような状況が許容される用途であれば、垂直ブランキング期間ＶＢの外部に所定の位置ＸＰおよび所定の領域ＹＡ，ＹＢを設定することも可能ではある。これに対し、フレーム単位で画像を構成する必要がある用途では、上述したように、垂直ブランキング期間ＶＢの内部に所定の位置ＸＰおよび所定の領域ＹＡ，ＹＢを設定することが望ましい。
【００３７】
説明を図２のフローに戻す。前述したように書込制御信号ＷＲ１，ＷＲ２および読出制御信号ＲＤに基づいてフレームメモリ１１１，１１２の書き込み及び読み出しの各動作が実施される過程で、読出位置変更部１４０は、読出制御部１３０から読出制御信号ＲＤによって指定されるフレームメモリ１１１，１１２の各読み出し位置ＲＰを取得する。また、読出位置変更部１４０は、書込制御部１２１から書込制御信号ＷＲ１によって指定されるフレームメモリ１１１の書き込み位置ＷＰ１を取得し、書込制御部１２２から書込制御信号ＷＲ２によって指定されるフレームメモリ１１２の書き込み位置ＷＰ２を取得する（ステップＳ１）。
【００３８】
続いて、読出位置変更部１４０は、読み出し位置ＲＰが、垂直ブランキング期間ＶＢに設定された所定の位置ＸＰであるか否かを判定する（ステップＳ２）。読み出し位置ＲＰが、垂直ブランキング期間ＶＢに設定された所定の位置ＸＰを示さない場合（ステップＳ２：ＮＯ）、読出位置変更部１４０は、処理をステップＳ１に戻し、新たに読み出し位置ＲＰと書き込み位置ＷＰ１，ＷＰ２を取得して同様の処理を繰り返す。
【００３９】
ここで、取得した読み出し位置ＲＰが、垂直ブランキング期間ＶＢに設定された所定の位置ＸＰを示す場合（ステップＳ２：ＹＥＳ）、読出位置変更部１４０は、続いて、フレームメモリ１１１における書き込み位置ＷＰ１が所定の領域ＹＡ，ＹＢの内部の位置を示すか否かを判定すると共に、フレームメモリ１１２における書き込み位置ＷＰ２が所定の領域ＹＡ，ＹＢの内部の位置を示すか否かを判定する（ステップＳ３）。書き込み位置ＷＰ１，ＷＰ２の何れも所定の領域ＹＡ，ＹＢの内部の位置を示さない場合（ステップＳ３：ＮＯ）、読出位置変更部１４０は、処理をステップＳ１に戻し、読み出し位置ＲＰと書き込み位置ＷＰ１，ＷＰ２を新たに取得して同様の処理を繰り返す。
【００４０】
ここで、取得した読み出し位置ＲＰが所定の位置ＸＰを示し（ステップＳ２：ＹＥＳ）、且つ、書き込み位置ＷＰ１，ＷＰ２が所定の位置ＸＰを基準として所定の領域ＹＡ，ＹＢの何れかの内部の位置を示す場合（ステップＳ３：ＹＥＳ）、読出位置変更部１４０は、フレームメモリ１１１，１１２において読み出し位置と書き込み位置との間の相対的位置関係の逆転が発生する旨の予測を行い、読み出し位置ＲＰを変更して、フレームメモリ１１１およびフレームメモリ１１２から読み出されるフレーム画像の全てを一括してスキップ（ステップＳ４）またはリピート（ステップＳ５）させる。
【００４１】
ここで、読出位置変更部１４０によるフレームのスキップおよびリピートについて説明する。前述したように、発信源２００の基準同期信号と放送局ＢＳの基準同期信号ＲＳとの間には、僅かながら周波数差が存在する。このため、映像信号ＰＳから分離された同期信号と基準同期信号ＲＳとの間にも周波数差が存在する。ここで、映像信号ＰＳから分離された同期信号の周波数が基準同期信号ＲＳの周波数よりも高い場合、フレームメモリ１１１，１１２において書き込みが読み出しを追い超す場合が発生する。この場合、読出位置変更部１４０は、フレームのスキップを行うように読み出し位置ＲＰを１フレーム分だけ変更する。逆に、基準同期信号ＲＳの周波数が映像信号ＰＳから分離された同期信号の周波数よりも高い場合、フレームメモリ１１１，１１２において読み出しが書き込みを追い超す場合が発生し、この場合、読出位置変更部１４０は、フレームのリピートを行うように読み出し位置ＲＰを１フレーム分だけ変更する。
【００４２】
図４は、実施形態のフレーム同期装置１００の動作を説明するための図であり、書き込みが読み出しを追い越すことが予測される場合の動作を説明するための図である。図４の左側には、フレームメモリ１１１の記憶領域１１１１，１１１２，１１１３が模式的に示され、記憶領域１１１１にはフレームＦｎ−１（ｎは自然数）の映像信号ＰＳ１が格納され、記憶領域１１１２にはフレームＦｎの映像信号ＰＳ１が格納され、記憶領域１１１３にはフレームＦｎ＋１の映像信号ＰＳ１が格納される。
なお、図４および図５において、読み出し位置ＲＰと書き込み位置ＷＰ１，ＷＰ２に付帯して表記されているベクトル（矢印）の長さは、書き込み及び読み出しの速さを模式的に表している。例えば図４において、書き込み位置ＷＰ１，ＷＰ２に付帯して表記されたベクトルの長さは、読み出し位置ＲＰに付帯して表記されたベクトルの長さよりも短く、このことは、書き込みが読み出しよりも相対的に速いことを意味している。
【００４３】
ここで、記憶領域１１１１，１１１２，１１１３のうち、中央に配置された記憶領域１１１２は、２系統の通信回線３０１，３０２を経由して伝送された映像信号ＰＳ１と映像信号ＰＳ２との間の位相差を吸収するために必要とされる数のフレームを形成する映像信号を一時的に記憶するための要素である。図４の例では、映像信号ＰＳ１と映像信号ＰＳ２との間の位相差は最大１フレーム分以内である場合を想定して、記憶領域１１１２の記憶容量は１フレーム分の容量に設定されている。ただし、この例に限定されず、記憶領域１１１２の記憶容量は、映像信号ＰＳ１と映像信号ＰＳ２との間の位相差に応じて任意に設定し得る。後述するように、記憶領域１１１１，１１１３の記憶容量は、それぞれ１フレーム分であるから、一般化すると、フレームメモリ１１１の記憶容量は、映像信号ＰＳ１と映像信号ＰＳ２との間の位相差を吸収するために必要とされるフレームをｍ（ｍは任意の自然数）とすれば、（ｍ＋２）個のフレームの映像信号を記憶可能な容量である。
【００４４】
記憶領域１１１１は、上述の記憶領域１１１２に記憶された映像信号によって形成されるフレームＦｎの直前のフレームＦｎ−１を形成する映像信号を一時的に記憶するための要素であり、１フレーム分の記憶容量を有している。記憶領域１１１３は、記憶領域１１１２に記憶された映像信号によって形成されるフレームＦｎの直後のフレームＦｎ＋１を形成する映像信号を一時的に記憶するための要素であり、１フレーム分の記憶容量を有している。フレームメモリ１１１の各記憶領域への書き込みおよび読み出しは、書込制御信号ＷＲ１および読出制御信号ＲＤに基づいて、記憶領域１１１１の先頭の位置から記憶領域１１１３の最終位置までの全区間にわたって繰り返し実施される。
【００４５】
図４の右側には、フレームメモリ１１２の記憶領域１１２１，１１２２，１１２３が模式的に示され、記憶領域１１２１にはフレームＦｎ−１の映像信号ＰＳ２が格納され、記憶領域１１２２にはフレームＦｎの映像信号ＰＳ２が格納され、記憶領域１１２３にはフレームＦｎ＋１の映像信号ＰＳ２が格納される。フレームメモリ１１２の各記憶領域はフレームメモリ１１１の各記憶領域と同様である。フレームメモリ１１２の各記憶領域への書き込みおよび読み出しは、書込制御信号ＷＲ２および読出制御信号ＲＤに基づいて、記憶領域１１２１の先頭位置から記憶領域１１２３の最終位置までの全区間にわたって繰り返し実施される。
【００４６】
図４の例では、フレームメモリ１１１において、読み出し位置ＲＰがフレームＦｎの垂直ブランキング期間ＶＢに設定された所定の位置ＸＰを示すときに、書き込み位置ＷＰ１が、同じくフレームＦｎの垂直ブランキング期間ＶＢに設定された所定の領域ＹＢの内部の位置を示している。この場合、フレームメモリ１１１の記憶領域１１１２からフレームＦｎの映像信号を読み出す過程で書き込みが読み出しを追い越すことが予測される。
【００４７】
一方、フレームメモリ１１２においては、読み出し位置ＲＰが所定の位置ＸＰを示すときに、書き込み位置ＷＰ２は前のフレームＦｎ−１における画素の映像信号ＰＳ２の記憶位置を示しており、読み出し位置ＲＰと書き込み位置ＷＰ２との間には十分な間隔がある。この場合、フレームメモリ１１２の記憶領域１１２２からフレームＦｎの映像信号ＰＳ２を読み出す過程で書き込みが読み出しを追い越す可能性はない。従って、図４の例では、フレームメモリ１１１からフレームＦｎの映像信号を読み出す過程で書き込み位置と読み出し位置との間の相対的位置関係の逆転の発生が予測されるが、フレームメモリ１１２からフレームＦｎの映像信号を読み出す過程で上記相対的位置関係の逆転の発生は予測されない状況となっている。
【００４８】
上記の状況において、読出位置変更部１４０は、フレームメモリ１１１，１１２の少なくとも１つにおいて、書き込み位置（ＷＰ１，ＷＰ２）が、所定の位置ＸＰを基準として走査の逆方向に設定された所定の領域ＹＢに位置する場合、書き込みが読み出しを追い越すことを予測し、フレームメモリ１１１，１１２からそれぞれ読み出されるフレームの全てを一括してスキップさせるように読み出し位置ＲＰを変更する。
【００４９】
具体的には、図４の例では、読出位置変更部１４０は、フレームメモリ１１１およびフレームメモリ１１２の各読み出し位置ＲＰを１フレーム分だけ先のフレームＦｎ＋１に進める。これにより、読出位置変更部１４０は、上記相対的位置関係の逆転の発生が予測されたフレームメモリ１１１の記憶領域１１１２からの読み出しをスキップさせ、その記憶領域１１１２に格納された映像信号ＰＳ１によるフレーム画像をスキップさせる。これにより、フレームメモリ１１１において書き込みが読み出しを追い越す事態が未然に防止される。また、上記のフレームメモリ１１１におけるフレームのスキップと同時に、読出位置変更部１４０は、上記相対的位置関係の逆転の発生が予測されていないフレームメモリ１１２の記憶領域１１２２からの読み出しもスキップさせ、その記憶領域１１２２に格納された映像信号ＰＳ２によるフレーム画像もスキップさせる。
【００５０】
このように、フレームメモリ１１２における上記相対的位置関係の逆転が予測されない場合であっても、フレームメモリ１１１において上記相対的位置関係の逆転が予測された場合、フレームメモリ１１１およびフレームメモリ１１２の両方の同じフレームＦｎがスキップされる。これにより、上記相対的位置関係の逆転の発生が予測されたフレームメモリから読み出される映像信号のフレームＦｎをスキップしても、フレームメモリ１１１から出力される映像信号ＰＳ１１１のフレームと、フレームメモリ１１２から出力される映像信号ＰＳ１１２のフレームとが一致した状態に維持され、映像信号ＰＳ１１１による映像と映像信号ＰＳ１１２による映像が完全に同一になる。
【００５１】
図５は、実施形態のフレーム同期装置１００の動作を説明するための図であり、読み出しが書き込みを追い越すことが予測される場合の動作を説明するための図である。
図５の例では、フレームメモリ１１２において、読み出し位置ＲＰが、フレームＦｎの垂直ブランキング期間ＶＢに設定された所定の位置ＸＰを示すときに、書き込み位置ＷＰ２が、同じくフレームＦｎの垂直ブランキング期間ＶＢに設定された所定の領域ＹＡの内部の位置を示している。この場合、フレームメモリ１１２の記憶領域１１１２からフレームＦｎの映像信号を読み出す過程で読み出しが書き込みを追い越すことが予測される。
【００５２】
一方、フレームメモリ１１１においては、読み出し位置ＲＰが所定の位置ＸＰを示すときに、書き込み位置ＷＰ２はフレームＦｎにおける画素の映像信号ＰＳ１の記憶位置を示しており、読み出し位置ＲＰと書き込み位置ＷＰ１との間には十分な間隔がある。この場合、フレームメモリ１１１の記憶領域１１１２からフレームＦｎの映像信号ＰＳ１を読み出す過程で読み出しが書き込みを追い越す可能性はない。
従って、図５の例では、フレームメモリ１１２からフレームＦｎの映像信号を読み出す過程で読み出し位置と書き込み位置との間の相対的位置関係の逆転の発生が予測されるが、フレームメモリ１１１からフレームＦｎの映像信号を読み出す過程で上記相対的位置関係の逆転しの発生は予測されない状況となっている。
【００５３】
上記の状況において、読出位置変更部１４０は、フレームメモリ１１１，１１２の少なくとも１つにおいて、書き込み位置（ＷＰ１，ＷＰ２）が、所定の位置ＸＰを基準として走査の順方向に設定された所定の領域ＹＡに位置する場合、読み出しが書き込みを追い越すことを予測し、フレームメモリ１１１，１１２からそれぞれ読み出されるフレームの全てを一括してリピートさせるように読み出し位置ＲＰを変更する。
【００５４】
具体的には、図５の例では、読出位置変更部１４０は、フレームメモリ１１１およびフレームメモリ１１２の各読み出し位置ＲＰを１フレーム分だけ前のフレームＦｎ−１に戻す。これにより、読出位置変更部１４０は、上記相対的位置関係の逆転の発生が予測されたフレームメモリ１１２の記憶領域１１２１からの読み出しをリピートさせ、その記憶領域１１２１から読み出される映像信号ＰＳ１１２（ＰＳ２に対応する信号）によるフレーム画像をリピートさせる。これにより、フレームメモリ１１２において読み出しが書き込みを追い越す事態が未然に防止される。また、上記のフレームメモリ１１２におけるフレームのリピートと同時に、読出位置変更部１４０は、上記相対的位置関係の逆転の発生が予測されていないフレームメモリ１１１の記憶領域１１１１からの読み出しもリピートさせ、その記憶領域１１１１から読み出される映像信号ＰＳ１１１（ＰＳ１に対応する信号）によるフレーム画像もリピートさせる。
【００５５】
このようにフレームメモリ１１１における上記相対的位置関係の逆転が予測されない場合であっても、フレームメモリ１１２において上記相対的位置関係の逆転が予測された場合、フレームメモリ１１１およびフレームメモリ１１２の両方の同じフレームがリピートされる。これにより、読み出し位置と書き込み位置との間の相対的位置関係の逆転の発生が予測されたフレームメモリから読み出される映像信号のフレームをリピートしたとしても、フレームメモリ１１１から出力される映像信号ＰＳ１１１のフレームと、フレームメモリ１１２から出力される映像信号ＰＳ１１２のフレームが一致した状態に維持され、映像信号ＰＳ１１１の映像と映像信号ＰＳ１１２の映像が完全に同一になる。
【００５６】
実施形態によれば、発信源２００から放送局ＢＳに伝送された映像信号を放送局ＢＳの基準同期信号ＲＳに同期化させた映像信号ＰＳ１１１，ＰＳ１１２を得ることができると共に、映像信号ＰＳ１１１のフレームと映像信号ＰＳ１１２のフレームとを一致させることができ、映像信号ＰＳ１１１の映像と映像信号ＰＳ１１２の映像を完全に同一にすることができる。従って、例えば、通信回線３０１に故障が発生した際に通信回線３０１を通信回線３０２に切り替えた場合、この切り替えの前後にわたって、フレームメモリ１１１から読み出される映像信号ＰＳ１１１の画像のフレームと、フレームメモリ１１２から読み出される映像信号ＰＳ１１２の画像のフレームとが常に同一になる。従って、任意の時刻に通信回線を切り替えても、映像信号ＰＳ１１１と映像信号ＰＳ１１２との間のフレームの連続性を維持することができ、通信回線を切り替えたことによる映像への影響を防止することができる。
【００５７】
また、実施形態によれば、放送局ＢＳにおいて同期化した映像信号ＰＳ１１１の映像と映像信号ＰＳ１１２の映像とを同一にすることができるので、例えば、同期化した映像信号ＰＳ１１１を現用系として使用し、映像信号ＰＳ１１２を予備系として使用した場合、現用系と予備系とで映像を一致させることができる。従って、例えば、通信回線の異常を検出するために、現用系の映像信号と予備系の映像信号とを比較することにより、同期化に起因したエラーの発生を防止しつつ、画面上にノイズが載る等の通信回線の異常を正しく検知することができる。
【００５８】
実施形態のフレーム同期装置１００の動作はフレーム同期方法として表現することもできる。この場合、フレーム同期方法は、発信源から第１の通信回線を経由して伝送された第１の映像信号を第１のメモリに格納する第１段階と、前記発信源から第２の通信回線を経由して伝送された第２の映像信号を第２のメモリに格納する第２段階と、前記第１の映像信号から第１の同期信号を分離し、前記第１の同期信号に同期して、前記第１の映像信号を前記第１のメモリに書き込むための第１の書込制御信号を発生させる第３段階と、前記第２の映像信号から第２の同期信号を分離し、前記第２の同期信号に同期して、前記第２の映像信号を前記第２のメモリに書き込むための第２の書込制御信号を発生させる第４段階と、所定の基準信号に同期して、前記第１のメモリおよび前記第２のメモリから映像信号を読み出すための読出制御信号を発生させる第５段階と、前記第１の書込制御信号と、前記第２の書込制御信号と、前記読出制御信号とから、前記第１のメモリおよび前記第２のメモリのそれぞれにおける書き込み位置と読み出し位置との間の相対的位置関係の逆転の発生を予測し、前記第１のメモリおよび前記第２のメモリの何れかにおいて前記相対的位置関係の逆転の発生が予測される場合、前記読出制御信号によって示される前記第１のメモリおよび前記第２のメモリのそれぞれの読み出し位置をフレーム単位で変更する第６段階と、を含む。ここで、前記第１、第２段階での処理の内容は、フレームメモリ１１１，１１２の動作の内容と同様である。また、前記第３、第４段階での処理の内容は、書込制御部１２１，１２２の動作の内容と同様である。また、前記第５段階での処理の内容は、読出制御部１３０の動作の内容と同様である。また、前記第６段階での処理の内容は、読出位置変更部１４０の動作において実施される処理の内容と同様である。
【００５９】
以上述べた少なくともひとつの実施形態のフレーム同期装置またはフレーム同期方法によれば、映像信号を伝送する通信回線の違いによるフレームの不一致を防止することができる。
【００６０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
１００…フレーム同期装置、１１１，１１２…フレームメモリ、１２１，１２２…書込制御部、１３０…読出制御部、１４０…読出位置変更部、２００…発信源、２０１，２０２…送信部、３０１，３０２…通信回線、１１１１，１１１２，１１１３，１１２１，１１２２，１１２３…記憶領域、Ｓ１〜Ｓ５…処理ステップ。
【図１】
2016111507.tif 000003
【図２】
2016111507.tif 000004
【図３】
2016111507.tif 000005
【図４】
2016111507.tif 000006
【図５】
2016111507.tif 000007